(57)【要約】      （修正有）【課題】丸棒に適宜に付け外しし得る留め具を得ること、並びに、丸棒に紙片を掲示し得る留め具を得ること。具体的な課題としては、丸棒に挟み付く挟み口の最奥あるいは奥寄りの位置でも、丸棒を挟み押えるためのバネが適切に働く留め具を得る。【解決手段】（イ）留め具は、天部ｇ、表押えｆ、裏押えｅで成る形枠の挟み口をもつ、（ロ）天部ｇは、挟む対象の太さあるいは厚みに対応するための挟み幅を成すとともに、挟むバネを生むため、「迂曲する折り曲がり」或いは「巻き曲がるかたち」を成す、（ハ）表押えｆと裏押えｅは、挟み合うかたちに向かい合う、（ニ）以上の如き特徴をもつ留め具にした。尚、紙片がずり落ちないように、挟み口を成す片方の側（表押え）にフックをもつ、あるいは滑り止めをもつなどの手段を用意した。【選択図】図１
2012081086.tif 000002
【特許請求の範囲】
【請求項１】
（イ）本留め具は、天部、表押え、裏押えで成る形枠の挟み口をもつ、
（ロ）天部は、挟む対象の太さあるいは厚みに対応するための挟み幅を成すとともに、挟むバネを生むための巻き曲がるかたちを成す、
（ハ）表押えと裏押えは、挟み合うかたちに向かい合う、
（ニ）天部は、正面から見る状態に於いて、巻き曲がる輪郭が見え、側面から見る状態に於いて巻き曲がりの巻き数が見える、
（ホ）以上の如き特徴をもつ留め具。
【請求項２】
（イ）本留め具は、天部、表押え、裏押えで成る形枠の挟み口をもつ、
（ロ）天部は、挟む対象の太さあるいは厚みに対応するための挟み幅を成すとともに、巻き曲がるかたちを成す、
（ハ）表押えと裏押えは、挟み合うかたちに、間隔をあけて向かい合う、
（ニ）天部は、正面から見る状態に於いて、巻き曲がりの巻き数が見え、側面から見る状態に於いて巻き曲がる輪郭が見える、
（ホ）以上の如き特徴をもつ留め具。
【請求項３】
（イ）本留め具は、天部、表押え、裏押えで成る形枠の挟み口をもつ、
（ロ）天部は、挟む対象の太さあるいは厚みに対応するための挟み幅を成すとともに、挟むバネを生むための巻き曲がるかたちを成す、
（ハ）表押えと裏押えは、挟み合うかたちに向かい合う、
（ニ）天部は、正面から見る状態に於いて、巻き曲がりの巻き数が見え、側面から見る状態に於いて巻き曲がる輪郭が見える、
（ホ）側面から見る状態に於いて、巻き曲がりの両終端は、行き違って左右の位置を変え、その一方が表押えにつながり、もう一方が裏押えにつながる、
（ヘ）以上の如き特徴をもつ留め具。
【請求項４】
（イ）本留め具は、天部、表押え、裏押えで成る形枠の挟み口をもつ、
（ロ）天部は、挟む対象の太さあるいは厚みに対応するための挟み幅を成すとともに、挟むバネを生むための迂曲する折り曲がりを成す、
（ハ）表押えと裏押えは、挟み合うかたちに向かい合う、
（ニ）天部は、取り付く対象の棒あるいは板が、天部の迂曲する折り曲がりの内に入らないよう、侵入を止める部分あるいは侵入を止めるかたちを成す、
（ホ）以上の如き特徴をもつ留め具。
【請求項５】
（イ）本留め具は、天部、表押え、裏押えで成る形枠の挟み口をもつ、
（ロ）天部は、挟む対象の太さあるいは厚みに対応するための挟み幅を成すとともに、挟むバネを生むための折り曲がりを以って、表押え及び裏押えにつながる、
（ハ）表押えと裏押えは、挟み合うかたちに向かい合う、
（ニ）挟み口は、取り付く対象の棒あるいは板が納まるスペースの更なる奥行きに、紙片の上縁が入るためのスペースをもつ、
（ホ）以上の如き特徴をもつ留め具。
【請求項６】
天部、表押え、裏押えで成る形枠の挟み口を、左右に連結して成る形態をもつ請求項１、又は２、又は３、又は４、又は５記載の留め具。
【請求項７】
挟み口を成す片方の側（表押え）にフックをもつ請求項１、又は２、又は３、又は４、又は５、又は６記載の留め具。
【請求項８】
挟み口を成す片方の側（表押え）に、滑り止めとなる部分あるいは滑り止めとなる機能をもつ請求項１、又は２、又は３、又は４、又は５、又は６記載の留め具。
【発明の詳細な説明】
【技術分野】
【０００１】
ドラッグストアー、スーパー、コンビニなどで使用している商品陳列棚あるいは商品陳列台の縁には棒柵や板柵が張られている。本発明は、主として、棒柵など横渡しの棒（以下、丸棒とも云う）に、チラシや値札などの紙片（以下、紙片とも云う）を掲示するための留め具（クリップ）に関する。
【背景技術】
【０００２】
従来、例えば、金属板を山形に折り曲げて成した山形クリップ（通称）や、特許文献１のものがあるが、紙片を、丸棒に掲示するための適切な留め具はなかった。
山形クリップは、バネが硬い上に、挟み口の最奥は太さや厚みに対応するバネの許容が小さく、本発明の用途に適うものではない。
特許文献１のものは、本発明のもの（例えば、図15に示すもの）と異なり、側面から見るかたちに於いて、挟み口の入り口は閉じているもので、正面から見るかたちに於けるＶ字状に開いたＵ字形の折り曲りと、縦筋の独立バー(1、1′)とで、挟み口（の入り口）を成しているものである。
尚、特許文献１のものは、Ｖ字状に開いたＵ字形でなければ、挟み口（の入り口）を成し得ないものでもある。
この形態は、柔らかな紙片ならば、折り曲げることによって挟み付けることができるが、硬いものあるいは厚みの厚いものに挟み付ける使い方ができるものでない。仮に、挟み付けたとしても、Ｖ字状に開いたＵ字形の折り曲がり(３、３′、４)が、離脱する作用に働いて、丸棒から抜け外れてしまう。また、Ｖ字状に開いたＵ字形の折り曲がりは、例えば、本発明の図１あるいは図13に示すもののように、縦(ｅ、ｆ)と横(ｈ)を成す技術思想をもつものでなく、Ｕ字形に折り曲がるものとして一括りにしているものであって、図１あるいは図13に示すもののように、左右に間隔をあけて２つの挟み口を成す技術思想をもつものでない。
【先行技術文献】
【特許文献】
【０００３】
【特許文献１】実願平９−１０１７８
【発明の概要】
【発明が解決しようとする課題】
【０００４】
（1）本発明の課題は、丸棒に、適宜に付け外しし得る留め具を得ること、並びに丸棒に紙片を掲示し得る留め具を得ることである。
（2）具体的な課題としては、挟み口の最奥あるいは奥寄りの位置でも、丸棒を挟み押える（あるいは丸棒に挟み付く）ためのバネが適切に働く留め具を得ることである。
【課題を解決するための手段】
【０００５】
イ、本留め具は、天部、表押え、裏押えで成る形枠の挟み口をもつ、
ロ、天部は、挟む対象の太さ或いは厚みに対応するための挟み幅を成すとともに、挟むバネを生むため、「迂曲する折り曲がり」或いは「巻き曲がるかたち」を成す、
ハ、表押えと裏押えは、挟み合うかたちに向かい合う、
ニ、以上の如き特徴をもつ留め具である。
【０００６】
本留め具の特徴は、挟み口を成す天部に、「迂曲する折り曲がり」或いは「巻き曲がるかたち」を有し、挟み口の最奥であっても、挟むバネが効果的に働くものにしたことである。尚、挟み口の入り口は、対象とする丸棒（あるいは対象とする板）を押し込むことができる程度に開口（開放）しておくものである。
【０００７】
天部に有する迂曲した折り曲がり或いは巻き曲がりは、４つの形態（形態１、２、３、４)がある。
形態１は、図１〜12に示している形態で、正面から見る状態に於いて、巻き曲がりの輪郭が見える形態のものである。
形態２は、図13〜19に示している形態で、側面から見る状態に於いて、巻き曲がりの輪郭が見える形態のものである。
形態３は、図20、21に示している形態で、側面から見る状態に於いて、巻き曲がりの輪郭が見え、巻き曲がりの両終端が交叉するかたちに行き違い、行き違った延長で表押えと裏押えを成す形態のものである。
形態４は、図22〜28に示している形態のもので、天部が、迂曲する折り曲がりを成しているものである。
【０００８】
本明細書の構成は、主として形態１のものについて説明をする。
即ち、形態２、３、４のものは、様態こそ異なるものの、その説明の多くが形態１のものに準ずるからである。
【０００９】
形態１のものは、図６に示すように、巻き曲がりの間隔（間隙）と巻き数が、挟み幅（側面から見る天部の幅）を成す特徴がある。
形態２のものは、図16に示すように、巻き曲がりの形状を以って挟み幅を成す特徴がある。
形態３のものは、図21に示すように、巻き曲がりの大きさと挟み幅とは、直接に関係しないものである。
形態４のものは、迂曲する折り曲がりの形状を以って挟み幅を成すこともでき、また、迂曲する折り曲がりと挟み幅とは、関係しないかたちで成すこともできる。
【００１０】
形態１、２、３、４のものは、それぞれ天部、表押え、裏押えで成る形枠（の挟み口）を有し、該形枠を左右に連結して一対の挟み口を成すものと、一つの形枠（挟み口)で成るものとがある。
形態１のものであれば、図１〜５、７〜11示すものが、一対の挟み口を成すものであり、図12で示すものが、一つの挟み口を成すものである。
形態２のものであれば、図13〜15、17で示すものが、一対の挟み口を成すものであり、図18、19で示すものが、１つの挟み口を成すものである。
形態３のものであれば、図20に示すものが、一対の挟み口を成すものである。
形態４のものであれば、図26、27、28(1)に示すものが、一対の挟み口を成すものであり、図22、23、24、25、28(3)に示すものが、１つの挟み口を成すものである。
【００１１】
因みに、形態１、２、３、４のものについて、対象のもの（丸棒など）に取り付くための挟み口について、正面から見る形枠も、側面から見る形枠も挟み口として表現しているが、取り付く対象のものに挟み付く挟み口は、側面から見る挟み口である。従って、取り付く対象の太さ（あるいは厚さ)に対応する挟み幅は、側面から見る形枠（の最奥あるいは最奥寄り)の横幅である。当然のことであるが、２つの形枠（の挟み口)を左右に連結した一対のものであっても、側面から見るかたちに於いては１つの挟み口を成すものである。
【００１２】
形態１、２、３、４のもののうち、表押えと裏押えが斜め向かいに挟み合うかたちで一対の挟み口を成すものの場合、一対に連結する様態として、３つのかたち（様態ａ、ｂ、ｃ)がある。その様態について、形態１のものを以って説明する。因みに、形態４のものは、表押えと裏押えが斜め向かいに挟み合う様態のものと、正面向かいに挟み合う様態のものとがある。
【００１３】
様態ａは、図１に示す如きもので、正面から見るかたちに於いて、左の形枠の表押えと右の形枠の表押えが共に裏押えの内方にあるかたちである。
様態ｂは、図２に示す如きもので、正面から見るかたちに於いて、左の形枠の表押えと右の形枠の表押えが共に裏押えの外方にあるかたちである。因みに、図５(1)に示すものは、その変形である。
様態ｃは、図５(2)に示す如きもので、正面から見るかたちに於いて、左の形枠の表押えと右の形枠の表押えが共に裏押えの左方（または右方)にあるかたちである。
因みに、上記の様態は、任意に使い分けて良いものである。
【００１４】
本留め具の基本的な構成、即ち、丸棒に取り付くための構成について以上に説明した。
本留め具は、紙片を掲示するための留め具であるから、紙片を支持する形態についても工夫したものである。
以下、紙片を支持するかたち（その１、その２、その３、その４)について説明する。
【００１５】
紙片を支持するかたち「その１」は、図３に示す如きのかたちである。即ち、紙片の上端寄りを丸棒に被せ掛けて、その上から挟み押えるかたちである。
このかたちは、大きめサイズの紙片で、紙質が柔らかめで、折り曲がり易いものの場合に適している。
この掲示方法によれば、紙片の上縁が、歪んだり或いはひらひらしたりすることなく掲示することができる。
【００１６】
紙片を支持するかたち「その２」は、図４に示す如きのかたちである。紙片の上縁を、迂曲する折り曲がり或いは巻き曲がりの間隙の内に差し入れた状態で、丸棒に掲示する場合にとるかたちである。
このかたちは、紙質が硬めで折り曲がり難い、あるいは紙片の上端を折り曲げずに掲示する場合にとる方法である。
この掲示方法に依れば、紙片の上端が、丸棒の上に迫り出たかたちに掲示できるので、紙片をずり落ちないように支持することができる。また、見た目に於いても、丸棒にしっかり挟み付いている安心感のもてる掲示方法でもある。
【００１７】
紙片を支持するかたち「その３」は、図７(3)に示す如きかたちである。
このかたちは、主として板状のものの縁に掲示する場合にとるかたちである。板状のものに掲示する場合、紙片がずり落ち易いことから、その対策として、表押え（紙片を押える側)に滑り止めとなる機能を付加したかたちが、図７に示すものである。
【００１８】
実施例に於いては、「滑り止め」としてゴム質のチューブ（肉厚が１ミリ程のもの）を被せたかたちで実施し、紙片はしっかり支持されることを確認した。
滑り止めの措置をとることで、挟み付け難くなる（即ち、滑り込まなくなる）が、挟み口の片側（表押え側）のみに滑り止めを施すことで、その障害を避けることができる。即ち、滑り止めを施した側（の内側）に、掲示紙片を当て付けた状態で挟み付ければ（あるいは押し込めば）、その障害を避けることができる。
上記の措置は、丸棒に掲示する場合にも有効であるが、板の縁に掲示する場合に、特に有効である。因みに、丸棒に使用するものの場合、図23、27、28に示すように、滑り止めは表押えの付け根寄りの部分（上端寄りの部分）に施すことが肝要である。
【００１９】
紙片を支持するかたち「その４」は、図８〜11（あるいは図17、25、26、27）に示す如きかたちで、紙片を支持するためのフックをもつものである。
依って、対象とする掲示紙片には、予め抜き穴（あるいは切れ込み）を施しておくものである。
この方法は、紙片の抜き穴が破れない限り、紙片がずり落ちることはない。殊に、ラミネートした紙片など挟み留め難いもの、あるいは厚地のものなどを掲示するときに有効な手段である。
【００２０】
フックを以って支持するためには、紙片に施した抜き穴に対応するフックでなければならない。
本発明に於いては、ＪＩＳ−Ｓ６０４１に準拠した抜き穴を、「一つのかたちとして」採用することとした。
ＪＩＳ−Ｓ６０４１に準拠したパンチ（事務用抜きあな器）で、パンチ（窄孔）される抜き穴は、抜き穴ピッチ寸法(ａ)が80ミリ±0.5ミリ、抜き穴径(ｂ)が６ミリ±0.5ミリ、奥行き(ｃ)が12ミリ±1.0ミリである（図８(3)参照）。
因みに、以下の説明に於いて、抜き穴に関し、同じ意味で、上記の「抜き穴ピッチ寸法」、「抜き穴径」、「奥行き」の語句を使用する。
【００２１】
以上、紙片を支持するかたちについて、主として、形態１のものを例にして説明した。形態２、３、４のものであっても同様のかたちをとることができる。因みに、紙片を支持する「かたち３、４」のものは、「かたち１、２」の使用もできるものである。
【発明の効果】
【００２２】
挟み口の最奥あるいは奥寄りであっても、「挟むバネ」が効果的に働く留め具を得た。本発明により、横渡しの棒に適宜適切な方法手段を以って、紙片を掲示することができるものとなった。
【図面の簡単な説明】
【００２３】
【図１】本発明の実施形態を説明する図である。
【図２】本発明の実施形態を説明する図である。
【図３】本発明の実施形態を説明する図である。
【図４】本発明の実施形態を説明する図である。
【図５】本発明の実施形態を説明する図である。
【図６】本発明の実施形態を説明する図である。
【図７】本発明の実施形態を説明する図である。
【図８】本発明の実施形態を説明する図である。
【図９】本発明の実施形態を説明する図である。
【図１０】本発明の実施形態を説明する図である。
【図１１】本発明の実施形態を説明する図である。
【図１２】本発明の実施形態を説明する図である。
【図１３】本発明の実施形態を説明する図である。
【図１４】本発明の実施形態を説明する図である。
【図１５】本発明の実施形態を説明する図である。
【図１６】本発明の実施形態を説明する図である。
【図１７】本発明の実施形態を説明する図である。
【図１８】本発明の実施形態を説明する図である。
【図１９】本発明の実施形態を説明する図である。
【図２０】本発明の実施形態を説明する図である。
【図２１】本発明の実施形態を説明する図である。
【図２２】本発明の実施形態を説明する図である。
【図２３】本発明の実施形態を説明する図である。
【図２４】本発明の実施形態を説明する図である。
【図２５】本発明の実施形態を説明する図である。
【図２６】本発明の実施形態を説明する図である。
【図２７】本発明の実施形態を説明する図である。
【図２８】本発明の実施形態を説明する図である。
【発明を実施するための形態】
【００２４】
本明細書で使用している文言について説明する。
図を見たままの状態で、上、下、縦、横、左、右、向こう、手前、裏、表の意味を使い分ける。
【００２５】
特段の説明（あるいは前置き）がない限り、図面上で丸棒の手前側に表現している側を「表押え」と云い、向こう側に表現しているのを「裏押え」と云う。
【００２６】
挟み口を成す形枠は、（丸棒の）向こう側に裏押えがあって、手前側に表押えがある。裏押え側と表押え側とが互いに向かい合う面を「内側」と云う。２つの形枠を左右に繋ぐものについて、左右の形枠が互いに向かい合う方向を「内方」と云う。
【００２７】
以下、図を追って説明する。
図は、分り易くするために、丸棒に取り付けた （あるいは挟み付けた)状態で示した。
【００２８】
形態１のものについて説明する。
形態１は、図１〜12に示すもので、天部に有した巻き曲がりが、正面から見る状態に於いて巻き曲がりの輪郭が見え、側面から見る状態に於いて巻き曲がりの巻き数（あるいは蛇腹)が見える形態のものである。
【００２９】
図１は、２つの挟み口をもつものである。挟み口は、間隔をあけた左と右に成している。
図１(1)は、丸棒に取り付けた様子を示したものである。図１(2)は、側面図である。
図１に示したものは、殊に丸棒に取り付くことを意識したもので、表押えの下端に円め折った部分を成している。この部分(ｗ)は、丸棒に挟み付けたとき、即ち、丸棒に依って挟み口が押し広げられたとき、捩じれる作用を受け、正面から見る状態に於いて、僅かであるが向こう側（内側)に突き出され、丸棒の下寄りの位置に押え付き、紙片を挟み止める機能に働くとともに、丸棒から不要に外れないための機能として働く。勿論、人の手を以って抜き外す分には問題なく抜き外すことができる。
【００３０】
図２に示すものは、図１のものに対比して横幅を狭いものに（即ち、左右の形枠を、連結する部分の長さを短く）したものである。
因みに、図１のものが様態ａのものであるのに対し、図２は様態ｂのものである。
図１のもの、図２のものは、使い勝手によって、あるいは掲示する紙片の大きさによって使い分けると良い。
図２(1)は、丸棒に取り付けた様子を示したものである。図２(2)は、側面図である。
【００３１】
図３は、図１のものを以って、紙片を掲示する「その１」のかたちを説明するものである。
紙片の上端寄りの部分を、丸棒に被せ掛けて留め付けた例である。
図３(1)は、表側から見た斜視図である。図３(2)は、裏側から見た斜視図である。
図３(3)は、丸棒に取り付けた状態における側面図で、図１(2)に見る側面図に対して示したもので、図１の説明で述べたように、丸棒に挟み付けたとき、挟み口が押し広げられ、表押えの下端に設けた円め折った部分(ｗ)は、図３(3)に示すように、挟み口の内側に向いて出っ張るかたちに捩じれる。この捩じれて内側に出っ張る部分、即ち、丸棒から不要に外れないようストッパーとして働く部分を設けたものが、図１、２に示すものである。
【００３２】
上記のストッパーとして働く部分が「どれだけ出っ張るか」あるいはストッパーとして「どれだけ機能するか」については、天部の巻き曲がりの大きさ（巻き曲がりの径）にも依る。巻き曲がりの径が大きければ、その分、側面から見る形状に於ける出っ張りが大きくなる。あるいは、上記のストッパーとして働く部分を正面から見るかたちに於いて、挟み口の内側に向いて出っ張りが大きければ、その分、側面から見る出っ張りが大きくなる。即ち、出っ張りが大きければ、ストッパーとしての機能が大きく働く。但し、出っ張りが大き過ぎれば、取り付けた留め具は抜き外すことができなくなるので、適度のものにすることが大切である。
【００３３】
因みに、図１、２で示すように、上記のストッパーになる部分は、丸棒の太さに対応して丸棒を抱え込む位置に設けるのが良い。即ち、丸棒が、挟み口の中を上下に動かないよう抑え込むかたちにすることが望ましい。
このとき、図３(3)で示すように、丸棒を抱え込んだ状態で、挟み口の入り口の幅が挟み口の最奥の幅（挟み幅）よりも大きく広がらない状態で収まるような範囲（対象とする丸棒の太さに対応する留め具として）で使用されることが大切であり、然様にバネの強度が調整されていることが大切である。
【００３４】
上記のストッパーになる部分は、対象とする丸棒の太さに対応する（使用される）ためのガイドとしても機能する。即ち、図１(1)、２(1)に示すように、丸棒の太さに対応し、丸棒が挟み口の中を上下に動かない状態に抱え込むかたちに成すことにより、抱え込む対象の太さ以上に太い丸棒は、抱え込むことができないことになる。
このことは、本留め具が対象とする太さの丸棒に使用されるための抑え、あるいはガイドとなるもので、上記のストッパーとして機能することと併せて２つの機能を成すものである。
【００３５】
尚、構成により、上記の機能の働きが効果的に働かない場合は、側面から見るかたちとして、当初から（即ち、丸棒に取り付ける以前の状態として）該部分を図３(3)に示すように、挟み口の内側に僅かに出っ張った状態に成しておくのも良い。
ストッパーとして働く機能について、上記したストッパー機能が適度に働く程度の出っ張りは、丸棒に取り付ける上で、また、丸棒から抜き外す上で支障になるものではない。その理由は、対象とする丸棒は、円い径の棒だからであり、円滑に付け外すことができる。
【００３６】
因みに、丸棒に代えて細幅の板でなる棒（以下、板棒とも云う）に付け外しする場合では、板棒に取り付けるときは、丸棒に取り付ける場合と同様にスムーズであるが、取り外すときはストッパーとなる部分が板の角（かど）に引っ掛かっているので、その部分を外してから抜き外せば良い。
【００３７】
尚、本留め具は、丸棒に限らず、板の縁に紙片を掲示することもできるものである。板の縁に紙片を掲示したとき、上記したストッパーとして働く部分は、重点的に紙片を留め押える作用に働き、紙片をしっかり支持するものになる。
【００３８】
図４は、図１のものを以って、紙片を掲示する「その２」のかたちを説明するものである。
紙片の上端寄りの部分を、留め具の巻き重なりの間隙に差し入れた状態で留め付けた例である。
即ち、図４は、紙片の上端を折り曲げないで掲示する場合の例を説明したものである。因みに、図４の場合は、図３の場合とは異にして左右に連結する部分を有する側を、表側（手前側）にして使用した例でもある。
図４(1)は、表側から見た斜視図である。図４(2)は、裏側から見た斜視図である。
【００３９】
図５(1)に示すものは、図２で示したかたち（様態ｂ）を変形させたものである。表押え、裏押えは、必ずしも縦に真っ直ぐ（垂直）に延びるものでなくても良いことを説明するものである。因みに、図２に示したものよりも、図５(1)に示したものの方が、丸棒に取り付け易い（挟み付け易い)かたちである。
図５(2)は、様態ｃのものである。
因みに、図５(1)(2)に示したものは、表押えの先端（下端)を円め折ったものにしていないが、丸め折るなどのことは、使用する上での意図による措置であって、基本のかたちとしては、図５(1)(2)に示すかたちで良いことを説明しているものでもある。
【００４０】
図６は、形態１のものについて天部の巻き曲がりと、側面から見る状態に於ける挟み口の形態について説明するものである。
図６(1)に示すものは、巻き数が１巻きのものである。図６(2)に示すものは、巻き数が３巻きのものである。図６(3)に示すものは、巻き数が４巻きのものである。巻き数は任意に決めて良いことを説明しているものである。
天部の巻き曲がりは、挟むためのバネを成すことと併せて、挟み幅（側面から見る挟み口の最奥の幅)を成す役割りをもつものである。
【００４１】
形態１のものの場合、挟み幅は、使用する素材（針金などの筋線）の太さと、巻き数と、巻き目の粗さ（巻き目の間隔）によって形成されることになる。
挟み口（側面から見る形枠）の横幅は、図６(1)(2)(3)に示すように、口奥から入り口にかけて徐々に狭まるかたちにすることが望ましい。尚、口奥の挟み幅は、対象とする丸棒の径よりも、やや狭い状態に成すことが求められる。
天部の巻き重なりは、隙間なく巻き重なるものとせず、隙間のある粗目にすることで、より柔軟に働くバネを成すことができる。
挟み口（側面から見る形枠）の横幅は、上記しているように入り口から口奥に掛けて徐々に広がるかたちにすると良いが、その延長の天部の巻き曲がりも、側面から見るかたちに於いて下端から上端にかけて巻き目（隙間）が粗くなる（広がる）かたちが望ましい。
【００４２】
挟み口の深さ（表押えと裏押えとが相対している部分の縦の幅）をどれだけのものにするかは適宜に決めて良い。丸棒に使用するものの場合であれば、対象とする丸棒の径（太さ）よりもやや長めの幅（縦幅）にするのが良い。
表押えと裏押えの縦の長さについては、どちらを長くしても、どちらを短くしても、また、同じ長さにしても良く、適宜に決めて良い。
【００４３】
図７に示すものは、板の縁に掲示する用途向きにしたものである。実施例では、表押えの先端寄り（下端寄り）にゴム質のチューブを被せて、図７(3)に示す如く、板の縁に紙片を掲示した状態に於いて、紙片がずり落ちないように措置したものである。
図７(1)は、丸棒に取り付けた様子を正面から見た図である。図７(2)は、側面図である。
因みに、板の縁に挟み付け易いものにするためには、表押えと裏押えの縦の長さの違いを大きめ（対象とする板の厚み以上の違い）にしておくことが望ましい。
図７(1)に示す状態に装着した滑り止めは、紙片を丸棒に掲示する場合にも、効果的に挟み留める機能に働く。
【００４４】
図８〜11に示すものは、抜き穴をもった紙片を対象とし、抜き穴ピッチ(ａ)、抜き穴径(ｂ)、奥行き(ｃ）に対応するフックを有するものである。
【００４５】
図８に示すものは、表押えの下端から折り返して上方に向いて延びたフックを有したものである。図８(1)は、丸棒に取り付けた様子を正面から見た図である。図８(2)は、側面図である。図８(3)は、図８(1)に示した状態の上に、抜き穴を有した紙片を掲示した様子を示したものである。
図８に示したものは、表押え側に、前記したストッパーとなる円め巻きを成したものである。同時に、フックを成す部分が、抜き穴の奥行きに対応する縦幅になるよう（即ち、抜き穴の奥行きに照らし合せて、抜き穴を潜り抜ける部分が不要に長くならないよう）、フックの下端を抜き穴に突っ掛る形態（巻き曲がりのかたち）に成したものである。
【００４６】
図９(1)に示すものは、フックを成す部分に、抜き穴の奥行きに対応するための措置（図８で、ｗで示した円め巻きのかたち）を成さないものにした例である。
フックは、丈長く変形させることで、抜き穴をもたない腰のある紙片を挟持し掲示するものにもなる。あるいは板厚断面に穴筋をもつ段ボール片を支持し掲示するものにもなる。
図９(1)は、丸棒に取り付けた様子を正面から見た図である。図９(2)は、側面図である。図９(3)は、図９(1)に示した状態の上に、紙片を掲示した様子を示したものである。
【００４７】
図10に示すものは、図10(2)の側面図で示すように、筋線を正面手前に向いて突き出るかたちに、巻き重ねたフックをもつものである。
フック（巻き曲がり）の径は、抜き穴の径よりも小さいことが前提である。紙片は抜き穴を潜らせてから引き下げれば、図10(3)に示す如くに巻き重なりの目に入って、抜き穴の周辺が挟み押えられることになる。
図10(1)は、丸棒に取り付けた様子を示すものである。図10(2)は、側面図である。図10(3)は、図10(1)に示した状態の上に、紙片を掲示した様子を示したものである。
【００４８】
図11に示すものは、左右の形枠を横つなぎする部分にフックを設けた例である。
図11(1)は、丸棒に取り付けた様子を示すものである。図11(2)は、側面図である。図11(3)は、図11(1)に示した状態の上に、紙片を掲示した様子を示したものである。
図１、２で説明したストッパーとなる機能（あるいは部分）について、図１、２の場合では、表押え側（手前側）に有しているが、図11の場合は、裏押え側（向こう側）に有している例である。紙片を掲示するかたちとの兼ね合いにより、どちら側に有しても良い。
【００４９】
図８、９、10、11は、フックの形態について、多様であって良いことを説明しているものでもある。因みに、本発明は、天部に、迂曲する折り曲がりあるいは巻き曲がるかたちのバネをもち、紙片の抜き穴に対応するフックをもつものについて、その形態並びに様態を問わず請求範囲に含むものとする。
【００５０】
形態１のもののうち、一対の挟み口をもつものについて以上に説明した。
図12に示すものは、１つの挟み口で成るものである。表押え並びに裏押えは、それぞれ下端から折り返すかたちで面を成すものにしている。
【００５１】
図12(1)に示すものは、正面から見るかたちに於いて、表押えと裏押えの下端が、左右に行き違うかたちに割れる形態にしたものである。この割れた部分から挟み付けることで、丸棒（あるいは板の縁）に容易に取り付くことができるものである。
図12(1)は、丸棒に取り付けた様子を示すものである。図12(2)は、側面図である。図12(3)は、２個の留め具を用いて、紙片を掲示した様子を示すものである。
【００５２】
図12(4)に示すものは、図12(1)のものに対比して示すもので、表押えに対し、裏押えの縦の長さを違えたものである。
表押えと裏押えの縦の長さは、同じであっても良いが、違えたものにしておけば、板の縁に留め付ける用途にも使用し易いものになる。
図12(4)は、丸棒に取り付けた様子を示すものである。図12(5)は、図12(4)の側面図である。
【００５３】
１つの挟み口でなるものの場合、図12(1)(4)で示すように、表押え並びに裏押えの下端から折り返した上端寄りの部分は、丸棒の側面に押え付くかたちをとるものであるが、丸棒の側面下部に押え付くかたちをとることで、前記したストッパー（丸棒から不要に抜け外れないための機能）としても働くものになる。
【００５４】
形態２のものについて説明する。
形態２は、図13〜19に示すもので、天部に有した巻き曲がりが、側面から見る状態に於いて巻き曲がりの輪郭が見え、正面から見る状態に於いて巻き曲がりの巻き数（あるいは蛇腹）が見える形態のものである。因みに、巻き数は、適宜に設定して良い。
【００５５】
図13に示すものは、２つの挟み口をもつものである。図13(1)は、丸棒に取り付けた様子を示すものである。図13(2)は、正面図である。正面から見る状態に於いて、巻き曲がりの巻き数が見える。図13(3)は、側面図である。側面から見る状態に於いて、巻き曲がりの輪郭が見える
【００５６】
図14に示すものは、図13に示すものについて、殊に、板の縁に紙片を掲示する用途向きにしたものである。裏押えの先端（下端）部分をやや外側（向こう方向）に反らせて、挟み口の入り口を広くし、挟み付け易く（あるいは押し込み易く）したものである。
実施例では、表押えの先端寄り（下端寄り）にゴム質のチューブを被せ、図14(3)に示す如くに、板の縁に紙片を掲示した状態に於いて、紙片がずり落ちないように措置したものである。図14(1)は、斜視図である。図14(2)は、側面図である。
【００５７】
図15に示すものは、図13のものに対比して横幅を狭くしたものである。図15(1)は、正面方向から見た図である。図15(2)は、側面図である。図15(3)は、下方から見た平面図である。
【００５８】
図16は、形態２のものについて、天部の巻き曲がりと、側面から見る挟み口の形態について説明するものである。
天部の巻き曲がりは、挟むためのバネを成すことに併せて、挟み幅（側面から見る挟み口の最奥の横幅）を成す役割りをもつものである。巻き曲がりの巻き数は、任意に決めて良い。
【００５９】
形態２の場合、挟み口は、図16(1)(2)(3)に示すように、巻き曲がりの形状あるいは形態によって形成することになる。
図16(1)は、挟み幅と同じ径の巻き曲がりを成したものである。図16(2)は、挟み幅を狭い幅のものにする場合、図16(1)に示した方法によれば、バネが硬くなり、バネの効果が期待できなくなるのを避けるための、大きく迂曲させた巻き曲がりである。図16(3)は、挟み幅を広い幅のものにする場合、巻き曲がりの径を抑えた（不要に大きくなることを抑えた）かたちで成す形態である。
【００６０】
挟み口は、図16(1)(2)(3)に示すように、挟み口の入り口から口奥に向かって徐々に広がる形枠にすることが望ましい。そして、口奥の挟み幅は、対象とする丸棒の径よりもやや狭い状態におさまるように成すことである。
【００６１】
挟み口の深さ（縦の幅）を、どれだけのものにするかは適宜に決めて良い。また、表押えと裏押えの縦の長さについては、どちらを長くしても、どちらを短くしても、同じ長さにしても良い。
【００６２】
図17に示すものは、表押えの下端から折り返して、上方に向いて延びたフックを有したもので、抜き穴をもった紙片を対象とするものである。
フックは、抜き穴を支えるだけでなく、抜き穴の周辺を挟み押えて、安定した状態に紙片を支持あるいは掲示することができるよう、表押えとフックとが挟み合うかたちにしておくことが大切である。
図17(1)は、丸棒に取り付けた様子を示したものである。図17(2)は、側面図である。
【００６３】
形態２のもののうち、一対の挟み口をもつものについて、図13、14、15、17に示した。これに対し、図18、19に示すものは、１つの挟み口で成るものである。
【００６４】
図18に示すものは、丸棒に安定した状態で取り付くためのかたちとして、表押え並びに裏押えは、それぞれ下端から折り返して面を成すものとしている。また、折り返した部分の上端が丸棒の下端寄りに押え付くことで、同時に丸棒から不要に抜け外れないようにしたものである。
図18(1)は、丸棒に取り付けた様子を正面から見た図である。図18(2)は、側面図である。
【００６５】
図19に示すもの（斜視図）は、図18に示したものが１巻きの巻き曲がり（バネ）で成したものであるのに対し、より多重の巻き曲がりを有するものにした例である。因みに、巻き曲がりの数は、任意で良いことを説明するものである。
図19(1)は、丸棒に取り付けた様子を正面左方向から見た図である。図19(2)は、側面図である。
【００６６】
形態３のものについて説明する。
形態３は、図20に示すもので、天部に有した巻き曲がりが、側面から見るかたちに於いて巻き曲がりの輪郭が見えるもので、巻き曲がりの両終端が交叉するかたちに行き違う形態をとったものである。即ち、形態２のものに対して、巻き曲がりの両終端が交叉するかたちに行き違う点が異なるものである。
【００６７】
図20は、２つの挟み口をもつものである。図20(1)は、丸棒に取り付けた様子を示すものである。図20(2)は、側面図である。側面から見る状態に於いて、巻き曲がりの輪郭と、巻き曲がった両終端が交叉し、その延長で挟み口を成している。
【００６８】
尚、図13に示したものに対比して、図15を示したように、図20に示すものも横に連結する幅を小さめの（横幅を狭めた）ものにする、あるいは適宜の巻き数にするなど任意に決めて良い。
また、図13に示したものに対比して、図18、19を示したように、図20に示したものも挟み口を１つ（横に連結しないかたち）にする、あるいは巻き数を変えるなど適宜に決めて良い。また、図７、14に示したように、滑り止めの措置をとるのも良い。
【００６９】
図21は、形態３のものについて、天部の巻き曲がりと側面から見る挟み口の形態について説明するものである。
天部の巻き曲がりに関し、巻き曲がりの輪郭ならびに巻き曲がりの巻き数は、ともに適宜に決めて良い。
巻き曲がりの輪郭は、図21(1)(2)(3)に示すように、挟み幅と直接に係わるものでなく、任意に決めて良い。挟み幅は、側面から見るかたちに於いて、巻き曲がりの両終端が交叉し、挟み幅を成すために下方に向いて折り曲がるなどの中で、適宜に設定をすることができる。
形態３の場合、一重に巻いて閉じるかたちを含めて、巻き曲がりと称しているものである。尚、挟み口を成す上での事項は、図16で述べていることと同様である。
【００７０】
形態４のものについて説明する。
形態４は、図22〜28に示すもので、天部が迂曲する折り曲がりを成しているものである。即ち、丸棒あるいは板の縁に取り付く（挟み付く）ためのバネを生むための迂曲するかたちをもつものである。あるいは、上記のバネを生むためと、紙片の上端が、丸棒の上方に迫り出すかたちに掲示するための形態として、丸棒が納まる位置よりも、紙片が奥深く差し入る形態の挟み口を成すものである。
【００７１】
図22は、天部の迂曲する折り曲がりの一例を示すものである。図22(1)は、丸棒に取り付けた様子を示すものである。図22(2)は、側面図である。裏押えの内側に出っ張り（ストッパーとなる部分）を設けたものにしている。
図22(1)は、紙片を支持するかたち「その１、その２」に対応する形態をもつもので、図３、４で示したかたちと同様の掲示に対応するものである。
筋線状の部材を折り曲げて成した形態１、２、３のものの場合は、丸棒の「横筋」に対し、表押えおよび裏押えが縦筋に交叉するので、紙片を支持する「かたち１、２」は、それ自体、紙片をしっかり支持するかたちをもったものであるが、図22(1)に示すもの（丸棒に対して面を以って当接するもの）についても、必要により、表押えの内側面に縦筋の出っ張りを設けるのも良い。
【００７２】
図22(1)(2)では、裏押えの内側に出っ張りをもつかたちを説明した。機能は異なるものになるが、図22(3)(4)(5)で、表押えの内側に出っ張りをもつかたちを説明する。
紙片の抜き穴（の奥行き）に対応する所定の位置に、該抜き穴に対応するかたちで内側に出っ張る部分を設けたとき、この出っ張りは、丸棒から不要に抜け外れないためのストッパーとして働くと同時に、抜き穴をもった紙片を支持するためのフック機能をもつものになる。図22(3)(4)(5)は、そのフック機能を説明するものである。因みに、フック機能を以って支持される紙片の抜き穴は、当然のこととして、所定の基準に基づく奥行き並びに抜き穴径のものであることが求められる。
【００７３】
図22(3)は、丸棒に取り付けた様子を示す斜視図である。図22(4)は、図22(3)を側面から見た図で、上記の内側に出っ張った部分が、丸棒の下端寄りに押え付いている様子、即ち、丸棒が動かないように抱え込んでいる様子を示している。
表押えの内側に成す出っ張り（フック）は、上記したように、丸棒が上下に動かないよう抱え込む状態に構成されることが肝要であり、図22(5)は、この状態を以って、抜き穴をもつ紙片を掲示している様子を示したものである。
図22(3)(4)で示すものの特徴は、図22(5)に示すように、「紙片は表側から支持されるかたちのフックである」こと、及びフックは「１つ」であっても、「紙片は傾くことなく安定した状態に支持される」ことである。即ち、紙片は、挟み口の形枠で押えられるので傾くことがない。また、フックの出っ張りは、僅かな出っ張りとするものであるが、紙片は丸棒によってフックから外れないように押えられるので脱落することはない。
【００７４】
図23に示すものは、挟み口の片方（表押え）の内側面に、滑り止めの措置をしたものである。丸棒に紙片を掲示するのに適したものである。
図23(1)は、丸棒に取り付けた様子を示すものである。図23(2)は、側面図である。側面図は、丸棒に当接する部分に滑り止め（ｊ）を有していることを説明しているものでもある。
バネを成す部分（即ち、迂曲する天部の折り曲がりの枠内）にまで、紙片を差し入れできるよう、挟み口（の上端）は、迂曲する枠内の空間（スペース）と通じ合う間隙を有していることが肝要である。
図23(3)は、図23(1)のものを以って、紙片を丸棒に掲示した様子を示すものである。図23(3)は、図23(1)のものを２つ用いている。１つで用が足りる広幅（横幅）のものにするのも良い。
上記した滑り止めによって、紙片はずり落ちないように、しっかり支持される。また、紙片の上縁は、迂曲する天部の空間内に差し入れたことで、丸棒に押え付く奥行きが深くなり、紙片の上縁は、丸棒の上に迫り出た状態（見た目にも安定した状態）に掲示できる。
【００７５】
図23に示すものを用いて、紙片を掲示する要領について説明する。
滑り止めは、挟み合う片方の側（表押えの内側）に有することを前提とする。挟み合う内側に滑り止めをもつと云うことは、そのままで、丸棒に挟み付けようとしても、滑り止めが機能して押し込むことが困難である。
その困難を避ける方法は、前記しているように、滑り止めを有した内側に掲示紙片を当て付け、その状態のまま押し込むことで、スムーズに押し込む（あるいは挟み付ける）ことができる。
因みに、図７、14についても、同様の要領を以って掲示するものである。
【００７６】
滑り止めは、ギザギザや凸凹など、形状として滑り難くするのも良いが、適度の粘性をもったもの（ゴムあるいはエストラマーなど）を適度の厚さで被装すること（塗付ける、貼り付ける、被せるなど）の方が良い。その理由は、紙片の柔らかさに類した性質であり紙片が破れ難い、その上紙片に対する摩擦度合いが大きく、滑り止めに適しているからである。因みに、熱可塑性粘性エストラマーを以って、滑り止め部分を成すかたちに一体成形で成すのも良い。
【００７７】
図24は、滑り止めを成すための一案として補足するものである。この案は、図24(1)に示す如き形枠を作り、図24(2)に示す如き滑り止めとなる部材を埋め込んで、図24(3)に示す如きものを作るとするものである。
図24(3)に示す如きかたちに、二種一体成形で成すのも良い。
滑り止めとなる弾性と粘性を有した素材の多くは、その性質が軟弱であることから、適切とする厚みの滑り止めに成し得ない場合の一案である。
因みに、図24に示すかたちをとる場合、粘性面が内側面にやや張り出すかたちにすること、また、取り付く対象の丸棒の横筋に沿う位置に設けることが肝要である。
【００７８】
図25に示すものは、図８〜11で説明した「その４」のかたち（フックをもつ形態）と同様に、フックをもつものである。
図25(1)は、丸棒に取り付けた様子を示すものである。図25(2)は、側面図である。図25(3)は、図25(1)の状態の上に、所定の抜き穴を有した紙片を掲示した様子を示すものである。
図25に示したものも、丸棒から不要に外れないようにするための出っ張りを裏押えの内側に設けている。
【００７９】
図26は、図25に対比して示すものである。
図25のものは、１つの本体を成しているように見える。これに対し、図26のものは、左側の構成と右側の構成を、（ｈの部分で）連結しているように見えるものである。
因みに、取り付く（挟み付く）対象の丸棒（横渡し棒）は、縦棒（支柱）によって支えられている場合が多い。図25に示すものの場合は、支柱をよけることができないが、図26に示すものの場合は、支柱をよけて取り付くことができる。但し、支柱が、丸棒の向こう側に立て付けてある場合の策である。また、図26のものは、図25のものよりも丸棒に挟み付くバネが柔軟に働く。
【００８０】
図25は、表押えの外側（手前側）に一対のフックをもつものであるのに対し、図26に示すものは、図22(3)(4)(5)で説明したものと同様に、フックを表押えの内側に有したものである。
図26(1)は、丸棒に取り付けた様子を示す斜視図である。図26(2)は、図26(1)を側面から見た図である。図26(3)は、抜き穴を有した紙片を掲示した状態を示すものである。
【００８１】
図27は、筋線を折り曲げて成したものである。
図27(1)は、丸棒に取り付けた様子を正面方向から見た斜視図である。図27(2)は、側面図である。図27(3)は、丸棒に紙片を掲示した様子を示したものである。
図27(1)に示すものは、正面方向から見るかたちで表押えと裏押えが、斜め向かいに向かい合って丸棒に挟み付いている、また、正面から見る状態の挟み幅（丸棒を挟んでいる表押えと裏押えとの間隔）は、側面から見る状態の挟み幅よりも広めになっている。このことは、挟むバネの許容に「ゆとり」をもたせ、バネが弾力的に働くものにしている証である。
図27(1)を見る状態で説明するならば、丸棒に取り付けたとき、即ち、挟み口が押し広げられたとき、左右の表押えの間隔が狭まる作用とともに、裏押えが回転矢印で示す方向に、捩じれる（ひねられる）作用を受け、その応力が挟むバネとなって働くものである。
【００８２】
図27(4)に示すものは、図27(1)に示すかたちを、図26で説明した思想に基づいて変形させたものである。
図27(4)は、丸棒に取り付けた様子を正面方向から見た斜視図である。尚、図27(3)で示すかたちで紙片を支持する場合、図で示すように、表押えに滑り止めを有することは不可欠といえるほどに重要である。
【００８３】
図28は、図27に対比して示すもので、板状部材で成る（あるいは成形して成る）形態にしたものである。表押えと裏押えは、正面合って向かい合う形態である。然れど、図に示すように、挟み口は上方に余裕を残して丸棒に挟み付く形態を成すものであるから、挟むためのバネは充分に働くものである。
図28(1)は、丸棒に取り付けた様子を正面左方向から見た斜視図である。図28(1)が２つの挟み口で成るものであるのに対し、図28(2)は、１つの挟み口で成るものである。また、表押えの下端を外方に（手前方に）反り返るかたちにして、挟み付け易くしている。尚、図28(2)に示すものは、図23、24に示したものと同類のものである。図28(3)は、図28(2)の側面図である。
【００８４】
図22、23、24、26、27、28で説明したものは、丸棒を支持する位置（挟み口の部位）に対して、紙片を取り込む奥行きを、より奥深い位置にしたものである。即ち、紙片が丸棒の上方に迫り出たかたちに掲示するため、丸棒が納まる部位よりも深い位置（奥行き）に、紙片の上縁を取り込める形態にしたものである。
【００８５】
上記の形態は、紙片がずり落ちないための補助手段として、挟み口の内側（但し、片方の側）に滑り止めとなる措置を施す、あるいはフックをもつことによって、格段と実用性の高いものになる。
【００８６】
図22〜28に示す如き、迂曲するかたちに折り曲げて成す天部の様態は、任意に設計しても良い。
天部の折り曲がりは、様々な様態をとることができるもので、その形状あるいは様態は、図に示すものに限るものではないが、基本的な機能として、例えば対象とする丸棒を挟み口の最奥の位置に抱え込んだとき、挟み口の最奥あるいは奥寄りの位置でもバネの作用を以って、該丸棒をしっかり挟み押えることができるとすることである。
尚、挟み口（の内枠）は、形態１、２、３について説明した図６、16、22に示したものと同様、挟み口が口奥にかけて横幅が徐々に広がるかたちを成している。即ち、側面から見る挟み口は、左右の内面が平均してなだらかに、あるいは平らな面（あるいは線）を成すようにするのが良い。
【００８７】
図８、11で、紙片を丸棒に押え付けるかたちで留め付ける形態のフックを説明した。図９、10、17、25で、紙片を留め具自体（の本体部）に押え付けるかたちで留め付ける形態のフックを説明した。図22(3)(4)(5)および図26で、表押えの内側に出っ張る形態のフックについて説明した。これらの留め具は、紙片を板の縁に掲示することにも使用できる。
【００８８】
図３、４、12(3)で、紙片を丸棒に留め付けるかたち「その１、その２」を説明した。本留め具は基本の構成に於いて、これらのかたちで、紙片を板の縁に掲示することにも使用できるものである。
【００８９】
図25に示すフックは、紙片を挟み留める機能を有しており、縦に延びる長さを長めにして、抜き穴をもたない紙片を下方から支持する使い方もできる。図９、11、17に示すものについても同様のことが云える。
【００９０】
以下は、実施する上での補足事項である。
【００９１】
抜き穴について説明する。冒頭でＪＩＳ−Ｓ６０４１に準拠したパンチでパンチされる抜き穴と同じくする抜き穴を、「１つの基準として採用する」ことを説明した。そして、フックを有するものについては、該抜き穴を前提にして、該抜き穴に対応するかたちを以って図示した。
然しながら、紙片を掲示する分野においては、名刺サイズ以下の小紙片もあり、例えば名刺サイズの場合、上記の抜き穴は必ずしも適当したものではない。その理由は、抜き穴ピッチ(ａ)が大きすぎる、抜き穴の径(ｂ)が大きすぎる、奥行き(ｃ)が深すぎるなど、必ずしも適切ではないことから、掲示する紙片の大きさに応じて、あるいは掲示する場面によりＪＩＳ−Ｓ６０４１以外の選択肢が求められる。
【００９２】
異なった基準の選択肢を採用するとき、本留め具は、それに対応する形態に直るものである。
即ち、ＪＩＳ−Ｓ６０４１に準拠した抜き穴は、１つの基準として採用するものであって、本留め具が対象とする抜き穴は、ＪＩＳ−Ｓ６０４１の基準に限るものではない。
因みに、本明細書で使用している「抜き穴」の名称は、「切れ込み」を含めての総称として使用している。
【００９３】
フックを有する留め具の場合、基本のかたちは、２穴の抜き穴に対応する２つのフックをもつものであるが、適宜に使用するものとして、１つのフックをもつものについても揃えた。
【００９４】
本留め具は、丸棒の太さ（あるいは板の厚み）に対応し得る挟み幅の単位で、サイズの異なるものを用意することが求められる。
ドラッグストアーなどの店内で多く見受けられる丸棒（棒柵など）は、太さ（径）が３〜10ミリ程度のものが主流である。留め具は、上記しているように、太さに対応する許容の単位で、幾つかのサイズのものを用意することが求められる。因みに、本留め具は、横渡しの棒について、その太さを限定しているものではない。また、丸棒の呼称は、丸い径の棒に限らず、角棒を含めた総称として用いている。尚、本留め具は、丸棒に掲示する用途に限らず、板の縁に取り付けて掲示することもできる。
【００９５】
本発明は、全体の図（図１〜28）を通して、発明の全容を説明しているものであって、個々の図で説明する具体的な技術内容によって、請求項に記載する技術内容が限定されるものではない。
【産業上の利用可能性】
【００９６】
従来、商品陳列棚や商品陳列台に備えられている棒柵など横渡しの棒に、紙片を掲示するための適切な留め具がなかった。本発明は、横渡しの棒に紙片を掲示する用途の留め具として、適切に使用できるものであり、小売業等の販売促進を計る上でも大きく貢献するものである。
店頭現場に於ける、広告紙片を掲示するための業務並びに作業は、担当する者にとって極めて負担になるものである。本発明は、それを平準化し、能率よく処理する大きな助けになるものでもある。
【符号の説明】
【００９７】
Ｐ    掲示する紙片
Ａ    棒（取り付く対象の棒）
Ｂ    板（取り付く対象の板）
（抜き穴）
Ｄ    抜き穴
ａ    抜き穴ピッチ寸法
ｂ    抜き穴径
ｃ    奥行き
（挟み口）
ｅ    裏押え
ｆ    表押え
ｇ    天部（表押えと裏押えを繋ぐ部分）
ff    フック
ｈ    ２つの挟み口を左右に連結する部分
ｊ    滑り止めとなる部分
【図１】
2012081086.tif 000003
【図２】
2012081086.tif 000004
【図３】
2012081086.tif 000005
【図４】
2012081086.tif 000006
【図５】
2012081086.tif 000007
【図６】
2012081086.tif 000008
【図７】
2012081086.tif 000009
【図８】
2012081086.tif 000010
【図９】
2012081086.tif 000011
【図１０】
2012081086.tif 000012
【図１１】
2012081086.tif 000013
【図１２】
2012081086.tif 000014
【図１３】
2012081086.tif 000015
【図１４】
2012081086.tif 000016
【図１５】
2012081086.tif 000017
【図１６】
2012081086.tif 000018
【図１７】
2012081086.tif 000019
【図１８】
2012081086.tif 000020
【図１９】
2012081086.tif 000021
【図２０】
2012081086.tif 000022
【図２１】
2012081086.tif 000023
【図２２】
2012081086.tif 000024
【図２３】
2012081086.tif 000025
【図２４】
2012081086.tif 000026
【図２５】
2012081086.tif 000027
【図２６】
2012081086.tif 000028
【図２７】
2012081086.tif 000029
【図２８】
2012081086.tif 000030